(57)【特許請求の範囲】
【請求項１】
包装用のロール紙芯管を支持する支持軸上に装着されるそれぞれの薬剤分包機特有の芯管としての既存巻芯に被嵌させて使用されるロール紙芯管用アタッチメントであって、
前記既存巻芯の外周部に被嵌されるアタッチメント主体と、このアタッチメント主体の外周部に放射状に配されて前記ロール紙芯管の内周面に係止される複数の係止部材とを備えることを特徴とするロール紙芯管用アタッチメント。
【請求項２】
前記係止部材は板バネである請求項１に記載のロール紙芯管用アタッチメント。
【発明の詳細な説明】
【技術分野】
【０００１】
本発明は、主として病院・医院などで使用される薬剤分包機におけるロール紙芯管に装填して使用されるロール紙芯管用アタッチメントに関するものである。
【背景技術】
【０００２】
従来、病院・医院などにおいて患者への投薬を調剤包装する薬剤分包機に用いられている包装用紙は、所定の幅の連続用紙をロール巻（以下、単に「ロール紙」という。）されていて、これを薬剤分包機の給紙部における支持軸に装填して使用される。このロール紙は前記支持軸に対して装填するのを容易にするとともに、ロール状に所定量巻付ける際の作業を容易にするために芯管を備えている。また、この芯管の内径および長さ寸法は前記給紙部の支持軸に対して適合する寸法に整えられている。
【０００３】
前記ロール紙を薬剤分包機の給紙部における支持軸に装填して円滑に繰り出されるようにするため、前記支持軸上には半径方向に突設される係止ピンが設けられるとともに、芯管には切込みが設けられ、これら係止ピンと切込みとが係合するようにされている。このようなものの一例が特許文献１によって知られている。また、支持軸上に回転自在に支持される筒体の一端部に永久磁石を取付け、この永久磁石に吸着される強磁性板を端部に備える芯管を装填して、芯管側の強磁性板と筒体側の永久磁石との吸着力で支持軸上でロール紙を円滑に回転させて給紙できるようにするものが特許文献２によって提案されている。
【０００４】
【特許文献１】実公昭５６−４４７５７号公報
【特許文献２】実開昭５９−１１６３４０号公報
【発明の開示】
【発明が解決しようとする課題】
【０００５】
ところで、通常、薬剤分包機の給紙部における支持構造については機械メーカーによって異なるが、前記ロール紙の幅寸法は、使用の目的が同一であることからほぼ一定の寸法にされている。そのために、例えば調剤量の多い病院などでは、複数の薬剤分包機が使用されていて、その包装用紙も当然多量に消費される。このようなことから、使用される薬剤分包機のメーカーが統一されていない場合、芯管の異なるロール紙を準備しておかねばならないことになる。
【０００６】
そして、使用されるロール紙の種類が偏って消費されると、使用に際して給紙部で合致しないものが生じることになり不都合である。このような事態を生じないようにするためには、常に必要以上の在庫を持たねばならなくなり、過剰な経費が必要になるという問題点がある。また、使用されているロール紙としては、一般にグラシン紙の片面にポリエチレン樹脂をラミネートしたものであるが、そのグラシン紙は乾燥し易くかつ粘りが少なくて破れ易い紙質であることから、長期の保管中に端部が破損して使用不能になるという問題点があり、多くの在庫を所有することは好ましくないという問題点がある。
【０００７】
本発明は、このような問題点を解消するためになされたもので、使用される薬剤分包機の給紙部における支持軸の外径寸法や係合手段が異なっていてもロール紙を共通使用することのできるロール紙芯管用アタッチメントを提供することを目的とするものである。
【課題を解決するための手段】
【０００８】
前記目的を達成するために、本発明によるロール紙芯管用アタッチメントは、
包装用のロール紙芯管を支持する支持軸上に装着されるそれぞれの薬剤分包機特有の芯管としての既存巻芯に被嵌させて使用されるロール紙芯管用アタッチメントであって、
前記既存巻芯の外周部に被嵌されるアタッチメント主体と、このアタッチメント主体の外周部に放射状に配されて前記ロール紙芯管の内周面に係止される複数の係止部材とを備えることを特徴とするものである（第１発明）。
【０００９】
本発明において、前記係止部材は板バネであるのが好ましい（第２発明）。
【発明の効果】
【００１１】
本発明によれば、包装用のロール紙芯管を支持する支持軸にそれぞれの薬剤分包機特有の芯管としての既存巻芯を装着しておき、この既存巻芯上にロール紙芯管用アタッチメントを介して新たなロール紙を装填すると、そのアタッチメントの外周部に設けられる係止手段がロール紙芯管の内周面に係止されることになり、包装用のロール紙芯管が既存巻芯およびアタッチメントを介して支持軸に回転自在に支持されることになる。こうして、サイズの異なるロール紙芯管用アタッチメントを準備することで、既存巻芯の外径とロール紙芯管の内径との寸法差を調節することができる。したがって、例えば薬剤分包機の給紙部の支持部に対応させて、共通で使用できる連続包装用紙を提供でき、経済性を高めることができるという効果を奏する。
【００１２】
また、アタッチメント主体の外周部に放射状に配される複数の係止部材によって、ロール紙芯管の装着時に確実な係止力を得ることができるとともに、既存巻芯とロール紙芯管との回転軸心を整えて用紙の繰り出しを容易にすることができる。
【００１３】
前記第２発明のようにすれば、簡易な構造で確実な係止力を得ることができる。
【発明を実施するための最良の形態】
【００１４】
次に、本発明によるロール紙芯管用アタッチメントの具体的な実施の形態について、図面を参照しつつ説明する。
【００１５】
図１に本発明の一実施形態に係るロール紙芯管用アタッチメントの縦断面図が、図２に図１のＡ−Ａ視断面図が、図３にアタッチメントの部分拡大断面図（ａ）および一部側面図（ｂ）が、それぞれ示されている。
【００１６】
本実施形態において、薬剤分包機における連続包装用紙（ロール紙）の給紙部１には、ロール紙取付軸（支持軸）２が設けられ、この取付軸２に対してロール紙５を巻付けている芯管部分を被嵌させて装着できるようになっている。
【００１７】
本実施形態のロール紙芯管用アタッチメント（以下、単に「アタッチメント」という。）１５は、薬剤分包機における給紙部１でのロール紙取付軸２の寸法が、その薬剤分包機のメーカーによってそれぞれ異なっているが使用されるロール紙５の寸法（この場合幅寸法）については概ね同じ寸法になっていることに着目して、前記取付軸２の寸法の如何にかかわらず共通して使用できるようにする構成のものである。そのために、前記取付軸２には、それぞれの薬剤分包機特有の芯管（既存巻芯６）をそのまま取付けておいて、この既存巻芯６の外周部に、本実施形態のロール紙芯管用アタッチメント１５を介してロール紙（以下、「共通ロール紙」という。）５を装着して使用できるようにされている。
【００１８】
前記共通ロール紙５の芯管（以下、「ロール紙芯管」という。）１２は、内径寸法が既存巻芯６の直径より大きい寸法にされている。そして、このロール紙芯管１２内に既存巻芯６との寸法差を埋めて装着できるようにするアタッチメント１５が着脱可能に付設される。
【００１９】
前記アタッチメント１５には、図２に示されるように、主体１５ａの外周部に外向きにロール紙芯管１２係止用の板バネ１７'が複数（本実施形態では４個）等分して配設されており、これら板バネ１７'間で主体１５ａの内周部に既存巻芯６係止用の板バネ１７が複数（本実施形態では４個）等分配置されている。この板バネ１７は、図３に示されるように、両端部１７ａ（図では片側のみ表わされている）が外向きに屈曲されて、アタッチメント１５の主体１５ａに設けられた透かし穴１８を通して外側にて支持され、ロール紙芯管１２の軸心方向に突出すようにされている。なお、前記透かし穴１８は長穴にされて挿通する板バネ１７の端部１７ａが軸方向に移動自在なようにされている。
【００２０】
前記板バネ１７の中間部には既存巻芯６と接触する側にゴム質の材料にてなる弾性摩擦片１９が一体に取付けられており、この弾性摩擦片１９には板バネ１７の幅方向に一部を延長させてリップ部１９ａ，１９ａが形成されている。
【００２１】
本実施形態においては、使用される対象の給紙部１におけるロール紙取付軸２にその機械特有の既存巻芯６を予め装着しておき、この既存巻芯６の外周部に前記アタッチメント１５を嵌め込み装着する。その後に、アタッチメント１５の外周部に共通ロール紙５を取付けるようにする。
【００２２】
前記アタッチメント１５を既存巻芯６の外周部に装填すると、内挿されているアタッチメント１５付属の板バネ１７が装着しようとする既存巻芯６の外周面に周囲から接触して、その既存巻芯６の外径に対応する寸法となるように外向きに押し戻される。すると、各板バネ１７は、いずれも両端部でアタッチメント１５の外周側に位置して移動自在にされているから、既存巻芯６の外周面によって押されるにつれ、屈曲部１７ｂの部分で付勢力に抗して変形させられ半径方向に変位され、その反力で板バネ１７のアタッチメント１５内側に突出している部分が既存巻芯６の外周面に強く押し付けられる。言い換えると、板バネ１７が四方から既存巻芯６を押し付けて突っ張ることになる。この突っ張りによって装着部での軸径に対する寸法差が自動的にアジャストされる。なお、前記板バネ１７の両端部１７ａ，１７ａはロール紙芯管１２内周面１２ａによって押さえられ、板バネ１７の弾発力が維持される。
【００２３】
また、アタッチメント１５の外周部に共通ロール紙５を装填すると、アタッチメント１５付属の外向きの板バネ１７'がロール紙芯管１２の内周面に接触して、そのロール紙芯管１２の内径に対応する寸法となるように内向きに押し戻される。すると、各板バネ１７'は、ロール紙芯管１２の内周面によって押されるにつれ、付勢力に抗して変形させられて半径方向に変位され、その反力で板バネ１７'のアタッチメント１５の外側に突出している部分がロール紙芯管１２の内周面に強く押し付けられる。言い換えると、板バネ１７'が四方からロール紙芯管１２を押し付けて突っ張ることになる。この突っ張りによって装着部での軸径に対する寸法差が自動的にアジャストされる。
【００２４】
こうして、既存巻芯６に対して装填される共通ロール紙５は、その軸心が取付軸２に対して同心に保持されることになる。そして、内側の各板バネ１７には、いずれも弾性摩擦片１９が一体に取付けられており、この弾性摩擦片１９は板バネ１７の幅方向に一部を延長させてリップ部１９ａ，１９ａを備えているので、前記のようにして突っ張り力が生じると、既存巻芯６の周面に沿うように張り出すことになって接触面での摩擦力が高められる。一方、ロール紙芯管１２は、アタッチメント１５の外周部に設けられた板バネ１７'がそのロール紙芯管１２の内周面に沿うように張り出すことによって、アタッチメント１５との接触面で摩擦力が高められる。この結果、取付軸２が繰り出し方向に回転を開始すると、この取付軸２に対して一体的に取付いている既存巻芯６とアタッチメント１５とが板バネ１７による係合で一体化され、かつアタッチメント１５とロール紙芯管１２とが板バネ１７'による係合で一体化されることになり、全体として共通ロール紙５が取付軸２に支持されて回転され、円滑な給紙が行えるのである。
【００２５】
また、既存巻芯６に対してアタッチメント１５を装着する際および、アタッチメント１５に対してロール紙芯管１２を装着する際には、アタッチメント１５に付属する複数の板バネ１７，１７'が幅の狭いものであるから、突っ張り力が大きく働いても、それに伴う軸線方向の摩擦力は円周方向に摩擦力に較べて著しく小さいので差込・引き抜き操作は無理なく行うことができる。
【００２６】
本実施形態のロール紙芯管用アタッチメント１５によれば、ロール紙芯管１２と既存巻芯６との間に寸法差が大きくあっても、付属する板バネ１７，１７'によって自動的にアジャストさせて無理なく装着することができる。したがって、寸法差のある各種の薬剤分包機における給紙部に対して共通するロール紙を採用することができる。
【００２７】
本実施形態においては、図示省略するが、前記板バネ１７に代えて弾性を備える形状にされた樹脂製の弾性体をアタッチメント１５に複数箇所で組み込んで装着時の係止力を得るようにすることができる。勿論、既存巻芯６に対してアタッチメント１５を係止させる手段については、その他のいろいろな手段を採用することができる。
【図面の簡単な説明】
【００２８】
【図１】本発明の一実施形態に係るロール紙芯管用アタッチメントの縦断面図
【図２】図１のＡ−Ａ視断面図
【図３】アタッチメントの部分拡大断面図（ａ）および一部側面図（ｂ）
【符号の説明】
【００２９】
１    給紙部
２    ロール紙取付軸
５    共通ロール紙
６    既存巻芯
１２  ロール紙芯管
１５  アタッチメント
１７，１７'  板バネ
【図１】
0003650106.tif 000002
【図２】
0003650106.tif 000003
【図３】
0003650106.tif 000004